(57)【要約】【課題】映像副調整装置を複数の副調整室で構築する場合のコストを抑える。【解決手段】２つの副調整室Ａ，Ｂに対しては、スイッチャリモコン２をそれぞれに設け、映像スイッチャ内１の外部制御Ｉ／Ｆ部８およびスイッチャ制御部９を夫々２つずつ設け、スイッチャ部６および合成処理部７をスイッチャリモコン毎に分け、夫々のスイッチャリモコンからの制御に対応させるようにした。また、ＭＴＸ３においても、送出系統を２つにし、緊急送出制御Ｉ／Ｆ４をそれぞれに設けた。スイッチャリモコンからの制御を、映像スイッチャ内の各制御部、処理部にて独立して制御・処理することが可能となる。また、緊急時のＭＴＸへの制御も夫々に独立して処理可能となる。【選択図】図１
2009212913.tif 000002
【特許請求の範囲】
【請求項１】
テレビ放送スタジオ毎の調整室（副調整室）に設けられる映像副調整装置において、
各副調整室と１対１対応に、外部からの複数のＨＤ／ＳＤフォーマットの映像素材の選択および合成・加工を行い、最終的に処理した１つの映像素材を各副調整室別に出力する映像スイッチャを１つの副調整室（マスタ副調整室）に設け、
全ての副調整室には、映像スイッチャの内の当該スイッチ部分を制御するためのリモート制御信号を出力するスイッチリモコンを設けて前記映像スイッチャを共用することを特徴とする映像副調整装置。
【請求項２】
前記映像スイッチャは、全体の制御を行うＣＰＵを備え、また、
前記スイッチリモコンとのインタフェースをとって前記リモート制御信号を前記ＣＰＵへ導く外部制御Ｉ／Ｆ部、
前記映像素材の選択切替を行うスイッチャ部、
前記選択された映像素材の合成・加工を行う合成制御部、
前記ＣＰＵによる制御の下に前記スイッチャ部に対して制御を行うスイッチャ制御部のそれぞれを各副調整室と１対１対応に設けたことを特徴とする請求項１記載の映像副調整装置。
【請求項３】
前記各副調整室には、緊急事態発生時に緊急制御信号を出力する緊急送出制御Ｉ／Ｆを１つシフトした副調整室に前記スイッチリモコンと並置し、また、
通常運用時には、前記映像スイッチャから出力されるスイッチャ素材を出力しているが、前記緊急制御信号を受けると、前記外部からの複数のＨＤ／ＳＤフォーマットの映像素材の内の１つの映像素材を緊急送出用として選択して出力するマトリックスを前記マスタ副調整室に設けたことを特徴とする請求項１または請求項２記載の映像副調整装置。
【請求項４】
入力が前記スイッチリモコンおよび前記緊急送出制御Ｉ／Ｆと接続され、出力が前記外部制御Ｉ／Ｆ部および前記マトリックスと接続されたＨＵＢを各副調整室に設けたことを特徴とする請求項３記載の映像副調整装置。
【発明の詳細な説明】
【技術分野】
【０００１】
本発明は、映像副調整装置、特に、テレビ放送スタジオ毎の調整室（副調整室）に設けられる映像副調整装置に関する。
【背景技術】
【０００２】
従来のこの種の映像副調整装置は、副調整室（サブ室とも呼ばれる）に、映像スイッチャとマトリックス（ＭＴＸ）を１式ずつ備えており、映像スイッチャは外部システムからの複数の映像素材を選択して合成・加工し、ＭＴＸは映像スイッチャにて加工された映像素材と外部システムからの複数の原素材を必要に応じて切替えて送出するようにしている。
【０００３】
図２は従来の映像副調整装置（文献公知発明に係るものではない）の構成を示す。この映像副調整装置は、映像スイッチャ１１、映像スイッチ１１を制御するスイッチャリモコン１２、ＭＴＸ１３、緊急時にＭＴＸ１３に制御を行う緊急送出制御Ｉ／Ｆ１４および集線装置である２つのＨＵＢ１５-1，１５-2で構成されている。映像スイッチャ１１およびＭＴＸ１３には1〜Ｎ系統のＨＤ（Hard Disk）／ＳＤ（Super Density）フォーマットの映像素材が外部システムから入力されている。
【０００４】
映像スイッチャ１１は、リモート制御機能を持つスイッチャリモコン１２からの制御により、複数のＨＤ／ＳＤフォーマットの映像素材の選択および合成・加工を行い、最終的に処理した１つの映像素材をＭＴＸ１３へ送出する。
【０００５】
ＭＴＸ１３には、映像スイッチャ１１にて加工された映像素材と、外部システムからの複数の原素材が入力されている。通常運用時は、映像スイッチャ１１からの映像素材を選択して送出し、当該素材に問題が発生した場合には、緊急送出制御Ｉ／Ｆ１４による外部制御により、外部システムからの複数の原素材の内の１つの素材を緊急送出用として選択して送出する。
【０００６】
映像スイッチャ１１の内部は、素材の選択を行うスイッチャ部１６と、スイッチャ部１６に対して選択制御を行うスイッチャ制御部１９と、スイッチャリモコン１２とのＩ／Ｆをとる外部制御Ｉ／Ｆ部１８と、スイッチャ部１６にて選択された素材の合成・加工を行う合成処理部１７と、ＣＰＵ２０で構成される。
【０００７】
映像スイッチャ１１では、スイッチャリモコン１２からのＨＵＢ１５-1を介しての制御により、スイッチャ部１６にて、１〜Ｎ系統の入力映像素材からベースとなる素材，キー素材，スーパー素材等が選択され、合成処理部１７にて選択された素材の合成・加工を行い、最終的な素材が、ＭＴＸ１３へ送出される。
【０００８】
スイッチャリモコン１２からの制御は、外部制御Ｉ／Ｆ部１８で受け、ＣＰＵ２０にて制御情報が処理され、スイッチャ制御部１９からの制御により、スイッチャ部１６での必要な素材の選択、合成・加工した最終的な素材の選択送出が行われる。
【０００９】
また、スポーツ番組の中継放送において、実際に映像信号のスイッチング、音声信号のミキシングを行うスイッチャーやミキサーを競技場におき、映像信号と音声信号を仮想モニター、仮想スイッチャーおよび仮想ミキサーと共に表示して、仮想スイッチャーおよび仮想ミキサーの操作に基づいて所期の映像信号と音声信号を出力するようした仮想副調装置が知られている（例えば、特許文献１参照）。
【００１０】
【特許文献１】特開２０００−１５２０７５（第２頁、図１）
【発明の開示】
【発明が解決しようとする課題】
【００１１】
しかしながら、図２に示した従来の映像副調整装置では、副調整室毎に、図２に示したのと同構成の、映像スイッチャとＭＴＸを備えること必要となり、大幅なコストがかかるため、複数の副調整室に対して映像副調整装置を構築する場合に、導入コストが嵩むという第１の問題点がある。
【００１２】
また、映像スイッチャとスイッチャリモコンとの制御系統が１対１のシングル構成となっているため、スイッチャリモコンの故障、または映像スイッチャとスイッチャリモコンとの制御系統に障害が発生した場合に、映像スイッチャを用いた運用が不可能になるという第２の問題点もある
また、特許文献１に記載の技術は、スポーツ番組中継の準備や撤収に費やす膨大な時間と、人や機材の節約を目的としたものであって、上記問題点を解消しようとしたものではない。
【００１３】
そこで、本発明の目的は、システム構成を大幅に変更することなく、複数システムを構築する際の導入コストを抑え、信頼性を向上した映像副調整装置を提供することにある。
【課題を解決するための手段】
【００１４】
本発明の映像副調整装置は、テレビ放送スタジオ毎の調整室（副調整室）に設けられる映像副調整装置において、各副調整室（図１の副調整室Ａ，副調整室Ｂ）と１対１対応に、外部からの複数のＨＤ／ＳＤフォーマットの映像素材の選択および合成・加工を行い、最終的に処理した１つの映像素材を各副調整室別に出力する映像スイッチャ（図１の１）を１つの副調整室（マスタ副調整室）（図１の副調整室Ａ）に設け、全ての副調整室（図１の副調整室Ａ，副調整室Ｂ）には、映像スイッチャの内の当該スイッチ部分を制御するためのリモート制御信号を出力するスイッチリモコン（図１の２Ａ，２Ｂ）を設けて映像スイッチャを共用することを特徴とする。
【００１５】
そして、映像スイッチャ（図１の１）は、全体の制御を行うＣＰＵ（図１の１０）を備え、また、スイッチリモコンとのインタフェースをとってリモート制御信号を前記ＣＰＵへ導く外部制御Ｉ／Ｆ部（図１の８）、映像素材の選択切替を行うスイッチャ部（図１の６）、選択された映像素材の合成・加工を行う合成制御部（図１の７）、ＣＰＵによる制御の下にスイッチャ部に対して制御を行うスイッチャ制御部（図１の９）のそれぞれを各副調整室と１対１対応に設ける。
【００１６】
更に、各副調整室には、緊急事態発生時に緊急制御信号を出力する緊急送出制御Ｉ／Ｆ（図１の４）を１つシフトした副調整室にスイッチリモコンと並置し、また、通常運用時には、映像スイッチャから出力されるスイッチャ素材を出力しているが、緊急制御信号を受けると、外部からの複数のＨＤ／ＳＤフォーマットの映像素材の内の１つの映像素材を緊急送出用として選択して出力するマトリックスをマスタ副調整室に設ける。
【００１７】
本発明では、例えば、２つの副調整室に対しては、スイッチャリモコンをそれぞれに設け、映像スイッチャ内の外部制御Ｉ／Ｆ部およびスイッチャ制御部を夫々２つずつ設け、スイッチャ部および合成処理部をスイッチャリモコン毎に分け、夫々のスイッチャリモコンからの制御に対応させるようにした。また、ＭＴＸにおいても、送出系統を２つにし、緊急送出制御Ｉ／Ｆをそれぞれに設けた。
【００１８】
上記手段により、夫々のスイッチャリモコンからの制御を、映像スイッチャ内の各制御部、処理部にて独立して制御・処理することが可能となる。また、緊急時のＭＴＸへの制御も夫々に独立して処理可能となる。従って、各スイッチャリモコン等の制御機器を別々の副調整室に設置しておけば、映像スイッチャおよびＭＴＸを共有使用して、夫々の副調整室での運用が可能となる。よって、副調整室各々に映像スイッチャおよびＭＴＸを構築する必要がないため、従来に比べて導入コストが抑えられる。
【００１９】
また、片系のスイッチャリモコンおよび映像スイッチャとの制御系統に障害が発生した場合でも、もう一方のスイッチャリモコンの系統を使用することで、映像スイッチャを用いた運用を継続することができるため信頼性も向上される。
【発明の効果】
【００２０】
本発明の第１の効果は、複数の副調整室に対して映像副調整装置を構築する場合に、コストが抑えられるということである。その理由は、スイッチャリモコンや緊急送出制御Ｉ／Ｆは全ての副調整室に設けるが、各副調整室による制御に対して、マスタ副調整室にのみ設けた映像スイッチャおよびＭＴＸを独立して処理できるようにしたことで、映像スイッチャを別々の副調整室で共有使用することができ、マスタを除く全ての副調整室側の設備は、スイッチャリモコン等の制御機器および制御系統の設備だけで済むようになるためである。
【００２１】
また、第２の効果は、映像スイッチャ運用時の信頼性が向上するということである。その理由は、一つの系のスイッチャリモコンおよび映像スイッチャとの制御系統に障害が発生しても、他の系のスイッチャリモコンを使用することで、映像スイッチャを用いた運用を継続することができるためである。
【発明を実施するための最良の形態】
【００２２】
［構成の説明］
次に、本発明の実施の形態について説明する。
【００２３】
図１は本発明の映像副調整装置の一実施例を示すブロック図である。この映像副調整装置は副調整室Ａと副調整室Ｂに対するものである。外部から複数の映像素材が提供されており、副調整室Ａと副調整室Ｂそれぞれにおいて、これらの映像素材を選択して合成・加工して出力する。実線による結線は制御系統、点線は映像系統を示す。
【００２４】
副調整室Ａには、映像スイッチャ１，映像スイッチャ１を制御するスイッチャリモコン２Ａ，ＭＴＸ３，緊急時にＭＴＸ３に制御を行う緊急送出制御Ｉ／Ｆ４ＢおよびＨＵＢ５Ａが装備される。一方、副調整室Ｂには、スイッチャリモコン２Ｂ，緊急送出制御Ｉ／Ｆ４ＡおよびＨＵＢ５Ｂを設けるのみで足りる。スイッチャリモコン２は通常運用時に使用されてリモート制御信号を出力している。緊急送出制御Ｉ／Ｆ４は緊急事態発生時に使用されて緊急制御信号を出力する。参照番号２桁目におけるＡは副調整室Ａ用、Ｂは副調整室Ｂ用にそれぞれ対応することを示す。
【００２５】
通常運用のためのスイッチャリモコン２ＡはＨＵＢ５Ａ、スイッチャリモコン２ＢはＨＵＢ５Ｂに接続されるが、緊急送出制御Ｉ／Ｆ４ＢはＨＵＢ５Ｂ、緊急送出制御Ｉ／Ｆ４ＡはＨＵＢ５Ａに襷がけに接続される。そして、ＨＵＢ５からのリモート制御信号は映像スイッチャ１に出力され、ＨＵＢ５の緊急制御信号はＭＴＸ３に出力される。
【００２６】
映像スイッチャ１は、映像素材の選択切替を行うスイッチャ部６の領域を２つに分けたスイッチャ部６Ａおよびスイッチャ部６Ｂと、映像素材の合成・加工を行う合成処理部７の領域を２つに分けた合成処理部７Ａおよび合成処理部７Ｂと、スイッチャ部６Ａに対して制御を行うスイッチャ制御部９Ａと、スイッチャ部６Ｂに対して制御を行うスイッチャ制御部９Ｂと、スイッチャリモコン２ＡとのＩ／Ｆをとる外部制御Ｉ／Ｆ部８Ａと、スイッチャリモコン２ＢとのＩ／Ｆを取る外部制御Ｉ／Ｆ部８Ｂと、全体の制御を行うＣＰＵ１０で構成される。
【００２７】
外部制御Ｉ／Ｆ部８ＡはＨＵＢ５Ａ，外部制御Ｉ／Ｆ部８ＢはＨＵＢ５Ｂとそれぞれ接続されてリモート制御信号を入力する。また、合成処理部７Ａはスイッチャ素材Ａ，合成処理部７Ｂはスイッチャ素材ＢをＭＴＸ３へ出力する。
【００２８】
ＭＴＸ３は、通常運用時には、映像スイッチャ１からのスイッチャ素材Ａを出力Ａ、スイッチャ素材Ｂを出力Ｂとしている。しかし、ＨＵＢ５Ａから緊急制御信号を受けると、外部システムからの複数の原素材の内の１つの素材を緊急送出用として選択して出力Ａとし、またＨＵＢ５Ｂから緊急制御信号を受けると、外部システムからの複数の原素材の内の１つの素材を緊急送出用として選択して出力Ｂとする。
［動作の説明］
次に、図１の映像副調整装置の動作について説明する。１〜Ｎ系統のＨＤ／ＳＤフォーマットの映像素材が映像スイッチャ１とＭＴＸ３に外部から提供されている。
【００２９】
通常運用時には、副調整室Ａでは、スイッチャリモコン２Ａを操作してリモート制御信号を出力する。このリモート制御信号はＨＵＢ５Ａを経由して外部制御Ｉ／Ｆ部８Ａに入力する。外部制御Ｉ／Ｆ部８Ａで受けたリモート制御信号はＣＰＵ１０にて処理され、スイッチャ制御部９Ａに指示が送られる。
【００３０】
スイッチャ制御部９Ａは、受けた指示をもとに、スイッチャ部６Ａの領域内で、入力映像素材からベースとなる素材、キー素材、スーパー素材等の選択制御を行う。選択された各素材は、合成処理部７Ａにて合成・加工が行われ、最終的な素材がＭＴＸ３へスイッチャ素材Ａとして送出される。ＭＴＸ３では、映像スイッチャ１からのスイッチャ素材Ａを含め、入力された映像素材を切替選択して外部に送出する出力Ａとする。
【００３１】
副調整室Ｂにおいても、同様にスイッチャリモコン２Ｂを操作してリモート制御信号を出力する。このリモート制御信号はＨＵＢ５Ｂを経由して副調整室Ａへ送られ、上述の処理と同様な処理が、副調整室Ａの映像スイッチャ１およびＭＴＸ３において並行して行われる。
【００３２】
即ち、外部制御Ｉ／Ｆ部８Ｂで受けた制御情報はＣＰＵ１０にて処理され、スイッチャ制御部９Ｂに指示が送られる。スイッチャ制御部９Ｂは、受けた指示をもとに、スイッチャ部６Ｂの領域内で、入力映像素材からベースとなる素材、キー素材、スーパー素材等の選択制御を行う。選択された各素材は、合成処理部７Ｂにて合成・加工が行われ、最終的な素材がＭＴＸ３へスイッチャ素材Ｂとして送出される。ＭＴＸ３では、映像スイッチャ１からのスイッチャ素材Ｂを含め、入力された映像素材を切替選択して外部に送出する出力Ｂとする。
【００３３】
以上のようにして、本映像副調整装置を運用しているときに、スイッチャ素材Ａに問題が発生した場合とする。この場合、副調整室Ｂの緊急送出制御Ｉ／Ｆ４Ａから緊急制御信号が出力される。この緊急信号はＨＵＢ５Ａを介してＭＴＸ３へ出力される。ＨＵＢ５Ｂは副調整室Ｂのスイッチリモコン２Ｂによる通常運用のために使用中であるからである。
【００３４】
ＭＴＸ３は、ＨＵＢ５Ａから入力した緊急制御信号による制御により、緊急用として1〜Ｎ系統の入力映像素材のうちの１つを選択して切替える。これにより、出力Ａの送出が継続される。このとき、スイッチャ素材Ｂに問題は無いため、ＭＴＸ３は通常運用時と変わることなく、スイッチャ素材Ｂを含め、入力された映像素材を切替選択して外部に送出する出力Ｂとすることを継続している。
【００３５】
一方、スイッチャ素材Ｂに問題が発生した場合は、副調整室Ａの緊急送出制御Ｉ／Ｆ４Ｂから緊急制御信号が出力される。この緊急信号はＨＵＢ５Ｂを介してＭＴＸ３へ出力され、スイッチャ素材Ａに問題が発生した場合と同様な動作となる。上述の説明で、ＡとＢを読み替えればよい。
【００３６】
このように、この実施例では、２式のスイッチャリモコンや緊急送出制御Ｉ／Ｆからの夫々の制御に対して、映像スイッチャおよびＭＴＸにおいて独立した運用が可能になる。図１のように、副調整室Ａ内の構成にて映像副調整装置を構築しておくことで、副調整室Ｂでは、副調整室Ａの映像スイッチャおよびＭＴＸを共有使用することができ、スイッチャリモコン等の制御機器および制御系統のみの構成とすれば足りるので、従来に比べて、コストが大幅に削減できる。
【００３７】
映像スイッチャ１には、副調整室の個数分の外部制御Ｉ／Ｆ部，スイッチャ制御部，スイッチャおよび合成制御部で必要あり、マトリックス３も副調整室の個数分の切換ができるように結線する必要があり、回路的にはコスト削減の要素がないよう見えるかもしれない。しかし、図１のように、全ての副調整室に対応する要素を物理的に１つの纏まった構成としても、マスタとなる副調整室の規模に殆ど変わりはなく、一方で他の副調整室は映像スイッチャとマトリックス不要の小規模構成となるので、大幅なコストカットが見込まれるのである。
【００３８】
なお、図１の例は２つの副調整室に対する映像副調整装置を示したが、本発明は３つ以上の副調整室に対しても同様に適用できる。例えば、３つの副調整室Ａ，Ｂ，Ｃに対しては、映像スイッチャに３組の外部制御Ｉ／Ｆ部，スイッチャ制御部，スイッチャおよび合成制御部を設け、マトリックスは３つの素材出力ができるようにする。そして、副調整室Ｂの緊急送出制御Ｉ／Ｆは副調整室ＡのＨＵＢ、副調整室Ｃの緊急送出制御Ｉ／Ｆは副調整室ＢのＨＵＢ、副調整室Ａの緊急送出制御Ｉ／Ｆは副調整室ＣのＨＵＢを経由してマトリックスへ導かれるように結線すればよい。
【００３９】
次に、装置構成は図１のままとして、スイッチャリモコンを二重化構成として運用することもできる。例えば、スイッチャリモコン２Ａの故障または映像スイッチャ１との制御系での障害が発生した場合でも、スイッチャリモコン２Ｂを使用することで、映像スイッチャを使用した運用を継続することが可能になり信頼性が向上する。
【図面の簡単な説明】
【００４０】
【図１】本発明における映像副調整装置の一実施例の構成を示すブロック図
【図２】従来の映像副調整装置の構成を示すブロック図
【符号の説明】
【００４１】
１          映像スイッチャ
２Ａ，２Ｂ  スイッチャリモコン
３          マトリックス（ＭＴＸ）
４Ａ，４Ｂ  緊急送出制御Ｉ／Ｆ
５Ａ，５Ｂ  ＨＵＢ
６Ａ，６Ｂ  スイッチャ部
７Ａ，７Ｂ  合成処理部
８Ａ，８Ｂ  外部制御Ｉ／Ｆ部
９Ａ，９Ｂ  スイッチャ制御部
１０        ＣＰＵ
【図１】
2009212913.tif 000003
【図２】
2009212913.tif 000004